(57)【要約】【課題】  Ｎ．Ａ．が大きく、小型で損失が少ないハイブリッドレンズを備えた平面導波路を提供する。【解決手段】  クラッド層と、前記クラッド層の表面側に積層された、前記クラッド層より屈折率が高いコア層と、前記コア層の表面または内部に形成された、前記クラッド層より屈折率が高く、前記コア層とは屈折率が異なるハイブリッドレンズ部を備えており、前記ハイブリッドレンズ部は、光軸を中心に対称であり、光軸から離れるほど間隔が狭くなる略ノコギリ歯形状を有する、回折レンズである幾何格子部あるいは屈折レンズ部と、前記幾何格子部あるいは屈折レンズ部に対して光軸から遠い位置に設けられ、光軸から離れるほど間隔が狭くなる回折レンズであるＶＰ格子部とを備えている、平面導波路のハイブリッドレンズ。【選択図】  図１
2012013931.tif 000002
【特許請求の範囲】
【請求項１】
クラッド層と、前記クラッド層の表面側に積層された、前記クラッド層より屈折率が高いコア層と、前記コア層の内部または表面に形成された、前記クラッド層より屈折率が高く、前記コア層とは屈折率が異なるハイブリッドレンズ部を備えており、
前記ハイブリッドレンズ部は、
光軸を中心に対称であり、光軸から離れるほど間隔が狭くなる略ノコギリ歯形状を有する、回折レンズである幾何格子部あるいは屈折レンズ部と、
前記幾何格子部あるいは屈折レンズ部に対して光軸から遠い位置に設けられ、光軸から離れるほど間隔が狭くなる回折レンズであるＶＰ格子部とを備えている、平面導波路。
【請求項２】
前記幾何格子部は、格子間隔が設計波長の３倍以上であり、
前記ＶＰ格子部は、格子間隔が設計波長の１０倍以下である、請求項１に記載の平面導波路。
【発明の詳細な説明】
【技術分野】
【０００１】
本発明は、平面導波路に関する。
【背景技術】
【０００２】
平面導波路のコア層に、コア層と屈折率の異なる材料層を形成することによって、回折格子や回折レンズ、屈折レンズ等の光学素子を形成する技術が知られている。例えば、非特許文献１には、コア層内に屈折レンズの一形態であるフレネルレンズが形成された平面導波路が記載されている。しかしながら、屈折レンズはコア層と材料層の屈折率の差が小さく、大きな屈折力（Optical power：焦点距離の逆数）を得ることが困難である。このため、集光や発散光束のコリメート等の光学系には、特許文献１、特許文献２のように金属反射や全反射の回折格子、金属の反射鏡、全反射鏡等が多くの場合に用いられる。特許文献１や特許文献２のような反射鏡や反射型回折格子は、光学系を構成する他の光学素子の近傍に配置することができないため、光学系が大きくなってしまう。また、平面導波路のコア層内に反射鏡や反射型回折格子を形成する場合には、コア層とは全く異なる材料層をコア層内に形成する必要があり、製造工程が複雑化してしまう。
【０００３】
回折レンズや屈折レンズを備えた平面導波路は、光学系を小型化するために有効である。例えば、非特許文献２のように、平面導波路のコア層に回折格子を形成すれば、透過型の回折格子を他の光学素子の近傍に配置することができる。
【先行技術文献】
【特許文献】
【０００４】
【特許文献１】特表２００９−５３１７２０号公報
【特許文献２】特開２００９−１９９０４１号公報
【非特許文献】
【０００５】
【非特許文献１】APPLIED OPTICS, Vol.21, No.11, 1982, "Graded-index Fresnel lenses for integrated optics"
【非特許文献２】レーザー研究, 第８巻, 第４号, 1980「光集積回路」
【発明の概要】
【発明が解決しようとする課題】
【０００６】
集光や発散光束のコリメート等の光学系には、反射鏡や反射型回折格子に代えて、レンズを利用することもできる。この場合、平面導波路のコア層にレンズを形成するに際しては、コア層とは全く異なる材料層をコア層内に形成する必要が無いため、製造工程が複雑化してしまうことを回避することができる。しかしながら、コア層に光学素子を形成するために用いる材料層は、一般にコア層と屈折率の差が小さいため、屈折レンズの場合に、光学系の明るさ（光源や入射光の利用率）や回折限界おける像サイズの指標である、開口数（Numerical aperture：本明細書では、以下、Ｎ．Ａ．という）を大きくすることが困難である。
【０００７】
回折レンズは、屈折レンズと比較して、大きな屈折力を得ることができるために、小型で比較的明るい光学系を構築することができる。回折レンズとして、ノコギリ歯（Saw tooth）形状を有する回折レンズが提案されている。しかし、ノコギリ歯形状を有する回折格子や回折レンズは、格子間隔が波長の３倍以下になると回折効率が急激に低下してしまうために、光学系の明るさや回折限界の像のサイズに限界があった。
【０００８】
上記の課題に鑑み、本願では、Ｎ．Ａ．が大きく、小型で損失が少ないハイブリッドレンズ（例えば、回折レンズである場合には、Ｎ．Ａ．が大きくても回折効率の高い回折レンズ）を備えた平面導波路を提供することを目的とする。
【課題を解決するための手段】
【０００９】
本発明は、クラッド層と、前記クラッド層の表面側に積層された、前記クラッド層より屈折率が高いコア層と、前記コア層の内部または表面に形成された、前記クラッド層より屈折率が高く、前記コア層とは屈折率が異なるハイブリッドレンズ部とを備えており、前記ハイブリッドレンズ部は、光軸を中心に対称であり、光軸から離れるほど間隔が狭くなる略ノコギリ歯形状を有する、回折レンズである幾何格子部あるいは屈折レンズ部と、前記幾何格子部に対して光軸から遠い位置に、光軸に対称に設けられ、光軸から離れるほど間隔が狭くなる、回折レンズであるＶＰ（Volume Phase）格子部とを備えている、平面導波路を提供する。
【００１０】
幾何格子は入射光束が任意の回折次数に任意の強度（光波の振幅の二乗）の回折光が分配されるように、屈折あるいは反射の法則（幾何光学）や波動光学に従って格子の幾何学的形状が設計された回折格子である。一方、ＶＰ格子は、媒質の屈折率が周期的に変調された光軸方向に厚い回折格子であり、格子間隔が設計波長に近づくほど格子と光波との電磁気的な結合が強くなり、設計波長近傍において１次回折光に光波の振幅を集中させることができる（幾何光学や波動光学によって求められる回折光の強度分布とは異なる挙動を示す）。ＶＰ格子は、ホログラムの技術を用いた回折格子である場合にＶＰＨ（Volume Phase Holographic）格子と称されることもある。ＶＰ格子は、厚さと屈折率の変調量を調整して、光の入射角と射出角がブラッグ回折条件を満たす場合に、設計波長において１００％に近い高い回折効率を得ることができる、高分散かつ高効率な回折格子である。平面導波路に幾何格子を形成することによって、回折レンズとして機能する幾何格子部とすることができる。同様に、平面導波路にＶＰ格子を形成することによって、回折レンズとして機能するＶＰ格子部とすることができる。
【００１１】
本発明に係る平面導波路では、ハイブリッドレンズ部は、光軸に近い側がＮ．Ａ．が小から中程度の範囲で回折効率が高い幾何格子部あるいはＮ．Ａ．が小さい範囲で機能する屈折レンズ部である一方で、光軸から遠い側がＮ．Ａ．が中程度から大きい範囲で回折効率が高いＶＰ格子部であるため、ハイブリッドレンズ全体において入射光束の損失を少なくすることが可能となる。これよって、Ｎ．Ａ．が大きく、小型で損失が少ないハイブリッドレンズを備えた平面導波路を提供することが可能となる。
【００１２】
前記幾何格子部は、格子間隔が設計波長の３倍以上であり、前記ＶＰ格子部は、格子間隔が設計波長の１０倍以下であることが好ましい。
【発明の効果】
【００１３】
本発明によれば、Ｎ．Ａ．が大きく、小型で損失が少ないハイブリッドレンズを備えた平面導波路を提供することができる。
【図面の簡単な説明】
【００１４】
【図１】一実施形態に係る平面導波路を示す斜視図である。
【図２】一実施形態に係る平面導波路の平面図である。
【図３】図２に示すＶＰ格子を拡大して入射光と回折光および格子の傾きの関係（ブラッグ回折条件）を示す図である。
【図４】図２のＩＶ−ＩＶ線断面を拡大する図である。
【図５】他の実施形態に係る平面導波路を示す断面図である。
【発明を実施するための形態】
【００１５】
（第１実施形態）
図１は、本発明の一実施形態に係る平面導波路３０を示す斜視図であり、図２は、平面導波路３０の平面図である。図１、図２に示すように、平面導波路３０は、クラッド層である基板層３１と、基板層３１の表面に形成されたコア層３２と、コア層３２内に形成されたハイブリッドレンズ部４を備えている。ハイブリッドレンズ部４は、幾何格子部４０およびＶＰ格子部４１，４２を備えている。尚、本実施形態では、基板層３１が平面導波路３０のクラッド層である場合を例示して説明する。
【００１６】
基板層３１の材料は誘電体であり、例えば、石英（ＳｉＯ２）ガラスや、ホウケイ酸系ガラス等のガラス材料、シリコン（Ｓｉ）や、ニオブ酸リチウム（ＬｉＮｂＯ３）等の結晶材料、ポリメタクリル酸メチル（ＰＭＭＡ）や、ポリカーボネート（ＰＣ）等の樹脂材料等を用いることができる。例えば、信越石英株式会社製や、日本石英株式会社製等の石英ガラス、株式会社オハラ製のＥ７、コーニング社製  ＃７０５９等のホウケイ酸系ガラス、日本ガイシ株式会社製や、株式会社山寿セラミックス製のニオブ酸リチウムの結晶材料等を好適に利用することができる。
【００１７】
コア層３２の材料は誘電体であり、例えば、石英ガラス等のガラス材料、ニオブ酸リチウム等の結晶材料等を好適に利用することができる。コア層３２は、基板層３１にイオン注入を行うことによって形成してもよい。例えば、基板層３１が石英ガラスである場合には、ＣＶＤ法等によって基板層３１の上にゲルマニウム（Ｇｅ）がドープされたアモルファス石英層を製膜することによって、基板層３１より屈折率が大きいコア層３２を形成することができる。また、例えば、基板層３１がニオブ酸リチウムである場合には、基板層３１にチタン（Ｔｉ）等のイオン注入を行うことによって、コア層３２を形成してもよいし、基板層３１にプロトン交換を行って屈折率を変化させて、コア層３２を形成してもよい。
【００１８】
基板層３１の屈折率がｎ３１であり、コア層３２の屈折率がｎ３２であり、外部媒体（例えば空気等）の屈折率がｎ３３である場合に、屈折率は、ｎ３２＞ｎ３１かつ、ｎ３２＞ｎ３３の関係となるように、平面導波路３０は設計されている。この場合、平面導波路３０では、光線が基板層３１とコア層３２との界面および外部媒体とコア層３２との界面において全反射を繰り返しながらコア層３２中に閉じ込められた状態で、コア層３２の長手方向に伝搬される。
【００１９】
図４は、図２のＩＶ−ＩＶ線断面を拡大する図である。図４の左側の端部は光軸Ｚを示している。ハイブリッドレンズ部４の幾何格子部４０およびＶＰ格子部４１，４２は、図４に示すように、コア層３２の表面から、コア層３２を貫通して基板層３１に達している。
【００２０】
ハイブリッドレンズ部４の材料は、誘電体であり、例えば、石英ガラス等のガラス材料、ニオブ酸リチウム等の結晶材料等を好適に利用することができる。例えば、基板層３１が石英ガラスである場合に、ＣＶＤ法等によって基板層３１の上にゲルマニウム（Ｇｅ）等がドープされたアモルファス石英層を製膜することによって、コア層３２を形成し、さらにこのコア層３２にゲルマニウム等のイオン注入を行って、ハイブリッドレンズ部４を形成することができる。また、例えば、基板層３１がニオブ酸リチウムである場合には、チタン等のイオン注入を行う方法を用いてもよいし、基板層３１にプロトン交換を行って屈折率を変化させて、コア層３２を形成し、さらにこのコア層３２にプロトン交換を行ってさらに屈折率を変化させて、ハイブリッドレンズ部４を形成する方法を用いてもよい。コア層３２にイオン注入を行う場合には、コア層３２の表面に、図２に示すハイブリッドレンズ部４の幾何格子部４０およびＶＰ格子部４１，４２の形状に応じてパターニングされたレジストを形成し、このレジストを介してイオン注入を行った後、アニール処理を行うことによって、幾何格子部４０およびＶＰ格子部４１，４２を形成することができる。
【００２１】
幾何格子部４０およびＶＰ格子部４１，４２に用いる材料の屈折率ｎ４０、ｎ４１、ｎ４２は、コア層３２に用いる材料の屈折率ｎ３２と相違して（ｎ４０、ｎ４１、ｎ４２≠ｎ３２）かつ、ｎ４０、ｎ４１、ｎ４２＞ｎ３３であればよい。ｎ４０、ｎ４１、ｎ４２とｎ３２との差Δｎは、平面導波路３０の用途によって適宜設計されることが好ましい。例えば、波長可変レーザや発光ダイオード等を光源とする比較的広範な波長範囲の光学系に利用する場合には、Δｎを大きくする設計することが好ましい。また、単色レーザ等を光源とする光学系であって、特定の波長の回折効率を高くしたい場合には、Δｎを小さく設計することが好ましい。
【００２２】
図１、図２に示すように、幾何格子部４０は、光軸Ｚについて対称なノコギリ歯形状の回折レンズである。幾何格子部４０は、平面導波路３０を平面視したときに、光軸Ｚについて対称な四辺形部分４００と、四辺形部分４００の両側に、光軸Ｚに対して対称に設けられた三角形部分４０１ａ〜４０１ｅ，４０２ａ〜４０１ｅを備えている。図２、図４に示すように、四辺形部分４００は、コア層３２内に四角柱状に形成されており、三角形部分４０１ａ〜４０１ｅ，４０２ａ〜４０２ｅは、コア層３２内に三角柱状に形成されている。図２に示すように、四辺形部分４００、三角形部分４０１ａ〜４０１ｅ，４０２ａ〜４０２ｅを平面導波路３０の表面において光軸Ｚの方向に沿って観察すると、光軸Ｚから離れる方向に、光軸Ｚと第１角度を成して一旦広くなり、さらに光軸Ｚの方向に進むと、逆に光軸Ｚに近づく方向に、光軸Ｚと第２角度を成して狭くなっている。第１角度と第２角度とは、同じ角度であってもよいし、相違していてもよい。すなわち、四辺形部分４００、三角形部分４０１ａ〜４０１ｅ，４０２ａ〜４０２ｅは、光軸Ｚに垂直な直線に対して対称である必要はない。
【００２３】
四辺形部分４００の光軸Ｚに垂直な方向の幅は、三角形部分４０１ａ，４０２ａの光軸Ｚに垂直な方向の幅の２倍よりも大きく、三角形部分４０１ａ，４０２ａの光軸Ｚに垂直な方向の幅は、三角形部分４０１ｂ，４０２ｂの光軸Ｚに垂直な方向の幅よりも大きい。すなわち、幾何格子部４０は、光軸Ｚから遠い側ほど格子間隔が狭くなる周期的な構造を有している。
【００２４】
幾何格子部４０は、光軸Ｚから距離Ｌ１１となる範囲内の基板層３１内に形成されている。幾何格子部４０においては、ノコギリ歯形状の格子間隔が設計波長の５倍以下である場合に、電界が基板層３１とコア層３２の界面と水平に振動する光の効率が低下し、格子間隔が設計波長の２倍である場合には効率が０になってしまう。また、格子間隔が設計波長の３倍以下である場合には、電界が基板層３１とコア層３２の界面と垂直に振動する光の効率が急激に低下する。このため、幾何格子部４０は、格子間隔が設計波長の３倍以上であることが好ましい。
【００２５】
図１、図２に示すように、ＶＰ格子部４１，４２は、導波路層コア層３２内に、レンズ部幾何格子部４０の両側を挟むように、光軸Ｚについて対称に形成されている。ＶＰ格子部４１は、平面導波路３０を平面視したときに、短冊状であるＶＰ格子４１１ａ〜４１１ｇを備えている。ＶＰ格子部４２は、平面導波路３０を平面視したときに、短冊状であるＶＰ格子４２１ａ〜４２１ｇを備えている。図２、図４に示すように、ＶＰ格子４１１ａ〜４１１ｇ、４２１ａ〜４２１ｇは、導波路層コア層３２内に四角柱状に形成されている。ＶＰ格子４１１ａ〜４１１ｇ、４２１ａ〜４２１ｇは、光軸Ｚに対して、それぞれ角度φａ〜φｇで傾いており、それぞれの位置の入射光束に対してブラッブの回折条件を実質的に満足するように調整されている。ＶＰ格子４１１ａ〜４１１ｇは、１：１の結像である場合は光軸Ｚと平行であるが、それ以外の場合には光軸Ｚに近い側ほど小さく傾いており、光軸Ｚに遠い側ほど大きく傾いている（すなわち、φａ＜φｂ＜φｃ＜φｄ＜φｅ＜φｆ＜φｇ）。ＶＰ格子４１１ａ〜４１１ｇ、４２１ａ〜４２１ｇは、光軸Ｚに近い側（すなわち、レンズ部幾何格子部４０に近い側）ほど、光軸Ｚに平行な方向および垂直な方向の幅が大きくなっている。また、隣接するＶＰ格子の格子間隔は、光軸Ｚに近い側ほど広くなっている。ＶＰ格子部４１，４２は、光軸Ｚに近い側ほど格子間隔が大きくなっている。
【００２６】
尚、図１、図２等は、幾何格子部４０およびＶＰ格子部４１，４２を概念的に図示するものであり、実際の格子の数は、より多くなっている。例えば、図２に示す平面導波路３０のコア層３２の屈折率が１．５であり、コア層３２とハイブリッドレンズ部４との屈折率差が０．０２であり、設計波長が１μｍである場合に、平面サイズによらずに、幾何格子部４０の格子密度は数本／ｍｍ〜数１００本／ｍｍ、ＶＰ格子部４１，４２の格子密度は、数１００本／ｍｍ〜数１０００本／ｍｍである。
【００２７】
ＶＰ格子は、光の入射角と射出角がブラック回折条件を満たす場合に、１００％に近い高い回折効率を得ることができる。ＶＰ格子は、媒質の屈折率を周期的に変調して位相差を生じさせ、ブラッグの条件を満足するように入出射角度を調整することにより、広い波長範囲において高い回折効率を得ることが可能なものであり、高分散かつ高効率な回折格子である。図３においてＶＰ格子は、入射角に応じて格子ごとにブラッグ回折条件を満たすように格子の傾きφを調整すると、広い波長範囲において高い回折効率を得ることができるようにすることができる。ブラッグ回折条件は、下記の式（１）によって表すことができる。
２ｎＤｓｉｎθ＝ｍλ    ……（１）
ここで、ｎは媒質の屈折率、Ｄは格子間隔、θは格子面と光線の間の角度、λは光の設計波長、ｍは整数である。
【００２８】
ＶＰ格子部４１，４２のそれぞれの短冊形状の格子の光軸Ｚの向き（図３中、参照番号４９で示す直線の向き）に対する傾きφは、式（１）の条件を満たすように格子ごとに調整されているため、高い回折効率を得ることができる。尚、光軸Ｚに対して角度αで光がＶＰ格子部４１、４２のＶＰ格子に入射する場合に、式（１）に係るθは、φおよびαによって、下記の式（２）のように表すことができる。
θ＝φ−α（基板表面を境界として垂直線に対して時計回りを正）  ……（２）
【００２９】
ここで、光束が光軸Ｚに対して水平に入射した場合にはα＝０なので、θ＝φであり、１：１結像の場合にはα＝−θなので、φ＝０（垂直）となる。
【００３０】
回折格子や回折レンズ等の回折光学素子は、格子間隔が設計波長の１０倍程度以下になると格子と電磁波としての光波との電磁気的な結合により、幾何光学や波動光学によって求めた各次数に分配される回折光の振幅分布とは異なる挙動を示すようになる。透過型の幾何格子の場合に幾何格子の格子間隔が設計波長の４倍以上の領域においては、多くの場合に幾何光学（屈折の法則や反射の法則）および、波動光学（光を電磁気的ではない横波として回折現象や干渉現象を取り扱う）によって取り扱うことができる。しかし、格子間隔が設計波長の４倍以下の領域になると光波と格子との電磁気的な結合が強くなるために幾何光学や波動光学によって求められる光波の振幅分布とは異なる挙動を示すようになる。すなわち従来の矩形格子（ラメラ格子）やノコギリ歯格子（エシレット格子）等の幾何光学や波動光学によって設計された格子は格子間隔が波長の４倍以下になると幾何光学や波動光学を用いた数値計算とは異なる比率で、高次の回折次数に振幅が分配されるようになり、格子間隔が波長の３倍以下になると１次回折光の回折効率が急激に低下してしまう。
【００３１】
幾何格子部４０について、電磁気学的な計算（厳密結合波解析：ＲＣＷＡ）に基づくと、理想的なノコギリ歯形状の格子において、格子間隔が設計波長の５倍（平行光束が入射した場合の結像側はＮ．Ａ．が０．２、１：１結像についてはＮ．Ａ．が０．１）である場合には回折効率の最大値は８０％程度となり、格子間隔が設計波長の３倍（平行光束が入射した場合の結像側はＮ．Ａ．が０．３３、１：１結像についてはＮ．Ａ．が０．１７）である場合には、回折効率の最大値は６０％程度となり、格子間隔が設計波長の２倍（平行光束が入射した場合の結像側はＮ．Ａ．が０．５、１：１結像についてはＮ．Ａ．が０．２５）である場合には、回折効率の最大値は１０％程度である（Proc. SPIE 5005, 8-19, (2003), “Optimization of a Volume Phase Holographic Grism for Astronomical Observation using the Photopolymer”のＦｉｇ．５（ｂ）を参照）。
【００３２】
また、ＶＰ格子部４１，４２では、電磁気学的な計算に基づくと、コア層３２の屈折率を１．５とし、コア層３２とハイブリッドレンズ部４との屈折率の差を０．０２とし、格子間隔を設計波長の５倍（平行光束が入射した場合の結像側はＮ．Ａ．が０．２、１：１結像についてはＮ．Ａ．が０．１）にした場合に最大６０％、格子間隔を設計波長の４倍（平行光束が入射した場合の結像側はＮ．Ａ．が０．２５、１：１結像についてはＮ．Ａ．が０．１２５）にした場合に最大９２％、格子間隔を設計波長の１．４倍（平行光束が入射した場合の結像側はＮ．Ａ．が０．７、１：１結像についてはＮ．Ａ．が０．３５）とした場合に最大１００％の回折効率を実現することができる（Proc. SPIE 5005, 8-19, (2003), “Optimization of a Volume Phase Holographic Grism for Astronomical Observation using the Photopolymer”のＦｉｇ．５（ｂ）を参照）。また、ＶＰ格子は屈折率差を小さくして、光軸Ｚ方向の格子の長さを長くすることによって、格子間隔が広くなっても、特定の波長において高い回折効率が得られるようになる（岡 恵子  博士論文  日本女子大学  ５７-９６,（２００４）, “厳密結合波解析による微細回折光学素子の光波解析と高分散分光素子への応用に関する研究”、および、Proc. IEEE, 73, 894-937, (1985), “Analysis and Applications of Optical Diffraction by Gratings”を参照）。例えば屈折率差が０．０１である場合には格子間隔が設計波長の８倍で最大８０％程度の回折効率を達成できる。よって屈折率差が０．００５である場合には格子間隔が設計波長の１０数倍で最大８０％程度の回折効率を達成できると類推される。逆に屈折率差を大きくすることによって格子間隔が設計波長に近い場合に広い波長範囲において高い回折効率を達成できる（半値全幅が広くなる）。
【００３３】
ノコギリ歯形状の幾何格子部４０の格子間隔が設計波長の３倍以上であり、ＶＰ格子部４１，４２の格子間隔が設計波長の１０倍以下である場合に、Ｎ．Ａ．が０．７を超える平面導波路のハイブリッドレンズを提供することができる。Ｎ．Ａ．が０．７を超えるレンズは、明るく、回折限界の点像サイズが設計波長の２倍程度である。
【００３４】
幾何格子の回折レンズでは、光軸から遠ざかるほど、すなわちＮ．Ａ．が大きくなると回折効率が急激に低下し、特に格子間隔が設計波長の３倍より狭くなる（平行光束を入射させ１点に結像させる場合あるいは点光源を平行光束にする場合のＮ．Ａ．０．３３を超える）と、著しく回折効率が低下する。平面導波路が幾何格子の回折レンズのみを備えている場合、格子間隔が設計波長の３倍未満であり、かつ、回折効率が良好に維持された平面導波路を提供することができない。
【００３５】
上記に説明したとおり、本実施形態に係る平面導波路３０によれば、ハイブリッドレンズ部４は、光軸Ｚに近い側に幾何格子部４０を備える一方で、光軸Ｚに遠い側にＶＰ格子部４１，４２を備えているため、ハイブリッドレンズ全体において回折効率を高くすることが可能となる。これよって、平行光束を入射させ１点に結像させる場合、あるいは点光源を平行光束にする場合のＮ．Ａ．が０．３３を超え、かつ、回折効率が高いレンズとして機能する回折レンズを含むハイブリッドレンズを提供することができる。本実施形態によれば、Ｎ．Ａ．が大きく、回折効率の高い回折レンズを含むハイブリッドレンズを備えた平面導波路を提供することが可能となる。そのために光コンピユータのような光集積回路等の小型化、高密度化に大きく貢献することができる。
【００３６】
上記に説明した実施形態では、幾何格子部４０は、ノコギリ歯形状の回折レンズであったが、コア層３２の屈折率が１．５であり、コア層３２とハイブリッドレンズ部４との屈折率の差が０．０２程度である場合に、幾何格子部４０の光軸Ｚから格子間隔が波長の１０倍以上の範囲においては、幾何格子部の代わりにフレネルレンズ等の屈折レンズ部が形成されていてもよい。例えば、平行光束を１点に結像するハイブリッドレンズの場合に、光軸ＺからＮ．Ａ．が０．１に相当する範囲については、屈折レンズ部であっても幾何格子部であっても良い。フレネルレンズは、屈折レンズの一形態であり、屈折レンズを光軸について等距離にある領域ごとに分割し、光軸方向の厚みを減らした、略ノコギリ歯状のレンズである。上記に説明した平面導波路において、幾何格子部４０に代えてフレネルレンズを用いる場合には、光軸を中心に対称であり、光軸から離れるほど間隔が狭くなる略ノコギリ歯形状を有するフレネルレンズを利用することができる。
【００３７】
上記に説明した実施形態では、図１等に示すように、基板層３１がクラッド層である（クラッド層と同一の材質である）場合を例示して説明したが、基板層（例えば、平行平面の基板）の上に、基板層と異なる材質のクラッド層が形成されている平面導波路であってもよい。例えば、シリコン基板を基板層として用いて、基板層の表面を酸化させて、基板層（シリコン）の表面に石英のクラッド層を形成し、石英のクラッド層の表面に、ＣＶＤ法等によってゲルマニウムをドープしたアモルファス石英を積層させて、コア層を形成しても良い。また、本実施形態では、コア層の表面が外部媒体に接している場合を例示して説明したが、コア層が、２つのクラッド層の間に形成されていてもよい。平面導波路が第１のクラッド層と第２のクラッド層を備えており、コア層が第１のクラッド層の表面に形成されており、コア層の表面に、さらに第２のクラッド層が形成されていてもよい。
【００３８】
上記に説明した実施形態では、図４に示すように、ハイブリッドレンズ部４は、コア層３２内に形成されていたが、図５に示すように、コア層３２の表面に形成されていてもよい。図５は、ハイブリッドレンズ部５を備えた平面導波路の断面図であり、図４と同様に、図５の左側の端部は光軸Ｚを示しており、右側の端部は、平面導波路の端部を示している。図５に示すハイブリッドレンズ部５は、一般にローデッド型（Ｌｏａｄｅｄ  ｔｙｐｅ）と呼ばれており、コア層３２の表面に、コア層３２よりも屈折率の大きい材料を用いてハイブリッドレンズ部５を形成することによって、コア層３２の屈折率を実効的に大きくすることが可能となる。ハイブリッドレンズ部４と同様に、ハイブリッドレンズ部５は、幾何格子部５０とＶＰ格子部５１，５２を備えている。幾何格子部５０は、四辺形部分５００、三角形部分５０１ａ〜５０１ｅ、５０２ａ〜５０２ｅを備えており、ＶＰ格子部５１は、ＶＰ格子５１１ａ〜５１１ｇを備えており、ＶＰ格子部５２は、５２１ａ〜５２１ｇを備えている。図５において、四辺形部分５００、三角形部分５０１ａ〜５０１ｅ，５０２ａ〜５０２ｅ、ＶＰ格子５１１ａ〜５１１ｇ、５２１ａ〜５２１ｇを平面視すると、それぞれ図２に示す四辺形部分４００、三角形部分４０１ａ〜４０１ｅ，４０２ａ〜４０２ｅ、ＶＰ格子４１１ａ〜４１１ｇ、４２１ａ〜４２１ｇと同様の形状および大きさとなっている。図５に示すようなローデッド型の回折レンズ部を含むハイブリッドレンズを有する平面導波路においては、例えば、基板層３１が石英ガラスであり、コア層３２がゲルマニウムをドープしたアモルファス石英である場合に、ハイブリッドレンズ部５の材料としては、酸化ジルコニウム（ＺｒＯ２）、酸化チタン（ＴｉＯ２）、酸化アルミニウム（Ａｌ２Ｏ３）等を好適に利用できる。また、例えば、赤外線領域の光学系に利用する平面導波路であれば、基板層３１がシリコン（Ｓｉ）、コア層３２がゲルマニウム（Ｇｅ）をドープしたシリコンである場合に、ハイブリッドレンズ部５の材料としては、ゲルマニウム（Ｇｅ）、ガリウムヒ素（ＧａＡｓ）等を好適に利用できる。
【００３９】
ローデッド型のハイブリッドレンズ部５は、リフトオフ法によって形成することができる。例えば、ハイブリッドレンズ部５を形成する部分が開口するようにパターニングしたレジストをコア層３２の表面に形成した状態で、ハイブリッドレンズ部５の材料をその表面に体積させた後、レジストを除去することによって、ハイブリッドレンズ部５の形状を精度よく形成することができる。
【００４０】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００４１】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４２】
４，５  ハイブリッドレンズ部
３０  平面導波路
３１  基板層（クラッド層）
３２  コア層
４０  幾何格子部
４１，４２  ＶＰ格子部
４００，５００       四辺形部分
４０１ａ〜４０１ｅ，４０２ａ〜４０２ｅ，５０１ａ〜５０１ｅ，５０２ａ〜５０２ｅ  三角形部分
４１１ａ〜４１１ｇ，４２１ａ〜４２１ｇ，５１１ａ〜５１１ｇ，５２１ａ〜５２１ｇ  ＶＰ格子
【図１】
2012013931.tif 000003
【図２】
2012013931.tif 000004
【図３】
2012013931.tif 000005
【図４】
2012013931.tif 000006
【図５】
2012013931.tif 000007